【手続補正書】
【提出日】平成17年7月22日(2005.7.22)
【手続補正１】
【補正対象書類名】明細書
【補正対象項目名】特許請求の範囲
【補正方法】変更
【補正の内容】
【特許請求の範囲】
【請求項１】
遊技球による所定の遊技条件の成立に基づき可変表示を行う可変表示装置と、
前記可変表示装置における可変表示の結果が所定の停止表示態様となった場合に遊技者に有利な特別遊技状態を発生可能な特別遊技状態発生手段とを備え、
前記特別遊技状態終了後の遊技モードとして、通常モードと、当該通常モードよりも遊技者に有利な特別遊技モードとのうち、いずれかが付与される遊技機であって、
前記可変表示装置における可変表示の結果が所定の停止表示態様となった場合に、遊技球を導入可能な別遊技手段を設けるとともに、
当該別遊技手段は、前記導入された遊技球を、複数の領域のうちいずれかに案内させるとともに、その案内させられる過程を視認可能な振り分け装置を具備し、
前記導入された遊技球が前記複数の領域のうち所定の領域を通過した場合に、前記特別遊技状態終了後の遊技モードとして特別遊技モードを付与し、所定の領域以外の領域を通過した場合に、前記特別遊技状態終了後の遊技モードとして通常モードを付与し、
前記所定の停止表示態様に応じて、遊技球の前記所定の領域の通過しやすさを可変としたことを特徴とする遊技機。
【請求項２】
前記可変表示装置における可変表示の結果が所定の停止表示態様のうち特定停止表示態様となった場合には、所定の停止表示態様のうち特定停止表示態様以外の態様となった場合に比べて、前記所定の領域を増大させることを特徴とする請求項１に記載の遊技機。
【請求項３】
遊技球が前記各領域を通過した場合に、前記特別遊技状態終了後の遊技モードとして特別遊技モードが付与されるか、通常モードが付与されるかを表示する表示手段を設けたことを特徴とする請求項１又は２に記載の遊技機。
【請求項４】
遊技球が入球可能な作動口と、
前記作動口への遊技球の入球を検出する検出スイッチと、
乱数カウンタの値を定期的に更新する更新手段と、
前記検出スイッチによる遊技球の入球検出に基づき、前記乱数カウンタの値が、当たり値と一致するか否かを判定する判定手段とを備え、
前記検出スイッチによる前記遊技球の入球検出に基づき、前記所定の領域の通過しやすさの異なる複数種類の所定の停止表示態様のうちいずれかを決定し、前記判定手段により、前記乱数カウンタの値が、当たり値と一致すると判定された場合に、前記可変表示装置における可変表示の結果を、前記決定されたいずれかの所定の停止表示態様とし、遊技者に有利な特別遊技状態を発生可能とすることを特徴とする請求項１乃至３のいずれかに記載の遊技機。
【手続補正２】
【補正対象書類名】明細書
【補正対象項目名】００１４
【補正方法】変更
【補正の内容】
【００１４】
【課題を解決するための手段】
上記の目的を達成するため、請求項１に記載の発明においては、遊技球による所定の遊技条件の成立に基づき可変表示を行う可変表示装置と、前記可変表示装置における可変表示の結果が所定の停止表示態様となった場合に遊技者に有利な特別遊技状態を発生可能な特別遊技状態発生手段とを備え、前記特別遊技状態終了後の遊技モードとして、通常モードと、当該通常モードよりも遊技者に有利な特別遊技モードとのうち、いずれかが付与される遊技機であって、
前記可変表示装置における可変表示の結果が所定の停止表示態様となった場合に、遊技球を導入可能な別遊技手段を設けるとともに、
当該別遊技手段は、前記導入された遊技球を、複数の領域のうちいずれかに案内させるとともに、その案内させられる過程を視認可能な振り分け装置を具備し、
前記導入された遊技球が前記複数の領域のうち所定の領域を通過した場合に、前記特別遊技状態終了後の遊技モードとして特別遊技モードを付与し、所定の領域以外の領域を通過した場合に、前記特別遊技状態終了後の遊技モードとして通常モードを付与し、
前記所定の停止表示態様に応じて、遊技球の前記所定の領域の通過しやすさを可変としたことをその要旨としている。
【手続補正３】
【補正対象書類名】明細書
【補正対象項目名】００１５
【補正方法】変更
【補正の内容】
【００１５】
請求項２に記載の発明においては、請求項１に記載の遊技機において、前記可変表示装置における可変表示の結果が所定の停止表示態様のうち特定停止表示態様となった場合には、所定の停止表示態様のうち特定停止表示態様以外の態様となった場合に比べて、前記所定の領域を増大させることをその要旨としている。
【手続補正４】
【補正対象書類名】明細書
【補正対象項目名】００１６
【補正方法】変更
【補正の内容】
【００１６】
請求項３に記載の発明においては、請求項１又は２に記載の遊技機において、遊技球が前記各領域を通過した場合に、前記特別遊技状態終了後の遊技モードとして特別遊技モードが付与されるか、通常モードが付与されるかを表示する表示手段を設けたことをその要旨としている。
【手続補正５】
【補正対象書類名】明細書
【補正対象項目名】００１７
【補正方法】変更
【補正の内容】
【００１７】
併せて、請求項４に記載の発明では、請求項１乃至３のいずれかに記載の遊技機において、遊技球が入球可能な作動口と、前記作動口への遊技球の入球を検出する検出スイッチと、乱数カウンタの値を定期的に更新する更新手段と、前記検出スイッチによる遊技球の入球検出に基づき、前記乱数カウンタの値が、当たり値と一致するか否かを判定する判定手段とを備え、
前記検出スイッチによる前記遊技球の入球検出に基づき、前記所定の領域の通過しやすさの異なる複数種類の所定の停止表示態様のうちいずれかを決定し、前記判定手段により、前記乱数カウンタの値が、当たり値と一致すると判定された場合に、前記可変表示装置における可変表示の結果を、前記決定されたいずれかの所定の停止表示態様とし、遊技者に有利な特別遊技状態を発生可能とすることをその要旨としている。
【手続補正６】
【補正対象書類名】明細書
【補正対象項目名】００１８
【補正方法】変更
【補正の内容】
【００１８】
（作用）
上記遊技機によれば、可変表示装置において、所定の遊技条件の成立に基づき可変表示が行われる。また、特別遊技状態発生手段では、可変表示装置における可変表示の結果が所定の停止表示態様となった場合に、遊技者に有利な特別遊技状態が発生可能されうる。
【手続補正７】
【補正対象書類名】明細書
【補正対象項目名】００１９
【補正方法】変更
【補正の内容】
【００１９】
本発明では、可変表示装置における可変表示の結果が所定の停止表示態様となった場合に、遊技球が別遊技手段に導入されることによる別遊技が行われる。別遊技手段は、前記導入された遊技球を、複数の領域のうちいずれかに案内させるとともに、その案内させられる過程を視認可能な振り分け装置を具備する。そして、前記導入された遊技球が前記複数の領域のうち所定の領域を通過した場合に、前記特別遊技状態終了後の遊技モードとして特別遊技モードが付与され、所定の領域以外の領域を通過した場合に、前記特別遊技状態終了後の遊技モードとして通常モードが付与される。従って、電気的な抽選結果によって、特別遊技モードが付与されうる従来の遊技機に対し、物理的な別遊技の結果によって特別遊技モードが付与されるか否かが決定される。そのため、遊技者は、その別遊技が好結果に至るよう、その物理的な別遊技の過程（内容）をわくわくどきどきしながら堪能する。
【手続補正８】
【補正対象書類名】明細書
【補正対象項目名】００２０
【補正方法】変更
【補正の内容】
【００２０】
また、本発明では、前記所定の停止表示態様に応じて、遊技球の前記所定の領域の通過しやすさが可変とされる。そのため、別遊技が行われるに際し、遊技球が前記所定の領域の通過しやすい場合には、遊技者は比較的高い期待感をもって別遊技に臨む。また、遊技球が前記所定の領域の通過しにくい場合には、遊技者は比較的淡い期待感をもって別遊技に臨み、そして、結果的に遊技球が所定の領域を通過した場合には、遊技者にとっての喜びは極めて大きいものとなる。
【手続補正９】
【補正対象書類名】明細書
【補正対象項目名】００２１
【補正方法】変更
【補正の内容】
【００２１】
また、請求項２に記載の発明によれば、前記可変表示装置における可変表示の結果が所定の停止表示態様のうち特定停止表示態様となった場合には、所定の停止表示態様のうち特定停止表示態様以外の態様となった場合に比べて、前記所定の領域が増大させられる。
請求項３に記載の発明によれば、表示手段によって、遊技球が前記各領域を通過した場合に、前記特別遊技状態終了後の遊技モードとして特別遊技モードが付与されるか、通常モードが付与されるかが表示される。
請求項４に記載の発明によれば、遊技球が作動口への入球が検出スイッチにより検出される。また、更新手段により、乱数カウンタの値が定期的に更新される。さらに、前記検出スイッチによる遊技球の入球検出に基づき、前記乱数カウンタの値が、当たり値と一致するか否かが判定手段によって判定される。併せて、検出スイッチによる前記遊技球の入球検出に基づき、前記所定の領域の通過しやすさの異なる複数種類の所定の停止表示態様のうちいずれかが決定される。そして、判定手段により、乱数カウンタの値が当たり値と一致すると判定された場合に、可変表示装置における可変表示の結果が、前記決定されたいずれかの所定の停止表示態様とされ、遊技者に有利な特別遊技状態が発生されうる。